(57)【要約】      （修正有）【課題】第１のデバイスが視聴中のコンテンツを示す第１のパラメータを、第２のデバイスでも利用してコンテンツを表示できるようにする。【解決手段】ユーザが１つのデバイスを利用してコンテンツ検索を行ってから、視聴または消費用にコンテンツを別のデバイスに向けてプッシュする。先ず第１のデバイス１０８で視聴されたコンテンツをＵＰｎＰ動作を介して第２のデバイス１１４に向けてプッシュする。動作は、第２のデバイスのブラウザへ全てを入力し直すことなく利用できる。パラメータは、第１のデバイスが視聴中のまたは視聴したもの、第２のデバイスが表示すべきものまたはユーザに利用可能とすべきもの（例えばウェブページのＨＴＭＬ）を定義する。第１のデバイスは、第２のデバイスに対して定義された動作を提供し、第２のデバイスは、提供された動作を利用して、コンテンツをダウンロードしたり、コンテンツのユーザへの表示を準備したりする。【選択図】図１
2010152885.tif 000002
【特許請求の範囲】
【請求項１】
第１のデバイスが視聴中であるコンテンツを示す第１のパラメータと、第２のデバイスがユーザへの表示用に利用可能にするコンテンツを示す第２のパラメータとを有する動作を生成する段階と、
前記第２のデバイスに前記動作を利用可能にして、前記第２のデバイスが、前記動作を利用して前記表示されるコンテンツをユーザに利用可能にさせる段階と
を備える方法。
【請求項２】
前記動作は、ＨＴＭＬ表示動作である
請求項１に記載の方法。
【請求項３】
前記ＨＴＭＬ表示動作を利用することで、ウェブページのＨＴＭＬ、ウェブページのＨＴＭＬのサブセクション、およびウェブページに埋め込まれたアプリケーションを含むＨＴＭＬのうち少なくとも１つを、前記第２のデバイスにおいて前記ユーザに利用可能にする
請求項２に記載の方法。
【請求項４】
前記動作において前記第２のパラメータがブランクである場合、前記第１のパラメータが、前記第２のデバイスがユーザへの表示用に利用可能にするコンテンツを示す
請求項１に記載の方法。
【請求項５】
前記第１のデバイスは、パソコン（ＰＣ）であり、
前記第２のデバイスは、接続されたデジタルテレビである
請求項１に記載の方法。
【請求項６】
第１のデバイスが視聴したコンテンツを示す第１のパラメータと、接続デバイスが表示するべき押下されたコンテンツを示す第２のパラメータとを有する動作を、前記接続デバイスで受信する段階と、
前記動作を利用することで、表示デバイス上でユーザインタフェースを介して、主要なコンテンツ上に前記押下されたコンテンツの前記表示を重畳する段階と
を備える方法。
【請求項７】
前記動作は、ＨＴＭＬ表示動作である
請求項６に記載の方法。
【請求項８】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項７に記載の方法。
【請求項９】
前記動作において前記第２のパラメータがブランクである場合、前記押下されたコンテンツを、前記第１のパラメータが示す前記コンテンツとする
請求項６に記載の方法。
【請求項１０】
前記第１のデバイスは、パソコン（ＰＣ）であり、
前記接続デバイスは、接続されたデジタルテレビである
請求項６に記載の方法。
【請求項１１】
多数のコンテンツソースに接続された接続デバイスを備えるシステムであって、
前記接続デバイスは、別のデバイスが視聴したコンテンツを示す第１のパラメータと、前記接続デバイスが表示するべき押下されたコンテンツを示す第２のパラメータとを有する動作を受信し、
前記接続デバイスは、前記動作を利用することで、表示デバイス上でユーザインタフェースを介して、主要なコンテンツ上に前記押下されたコンテンツの前記表示を重畳する
システム。
【請求項１２】
前記動作は、ＨＴＭＬ表示動作である
請求項１１に記載のシステム。
【請求項１３】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項１２に記載のシステム。
【請求項１４】
前記動作において前記第２のパラメータがブランクである場合、前記押下されたコンテンツを、前記第１のパラメータが示す前記コンテンツとする
請求項１１に記載のシステム。
【請求項１５】
前記別のデバイスは、パソコン（ＰＣ）であり、
前記接続デバイスは、接続されたデジタルテレビである
請求項１１に記載のシステム。
【請求項１６】
命令を備える機械可読記憶媒体であって、前記命令は、処理システムに実行されると前記処理システムに方法を実行させ、前記方法は、
第１のデバイスが視聴したコンテンツを示す第１のパラメータと、接続デバイスが表示するべき押下されたコンテンツを示す第２のパラメータとを有する動作を、前記接続デバイスで受信する段階と、
前記動作を利用することで、表示デバイス上でユーザインタフェースを介して、主要なコンテンツ上に前記押下されたコンテンツの前記表示を重畳する段階と
を含む
機械可読記憶媒体。
【請求項１７】
前記動作は、ＨＴＭＬ表示動作である
請求項１６に記載の機械可読記憶媒体。
【請求項１８】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項１７に記載の機械可読記憶媒体。
【請求項１９】
前記動作において前記第２のパラメータがブランクである場合、前記押下されたコンテンツを、前記第１のパラメータが示す前記コンテンツとする
請求項１６に記載の機械可読記憶媒体。
【請求項２０】
前記第１のデバイスは、パソコン（ＰＣ）であり、
前記接続デバイスは、接続されたデジタルテレビである
請求項１６に記載の機械可読記憶媒体。
【発明の詳細な説明】
【背景技術】
【０００１】
今日の家庭にはコンテンツを単一の表示デバイスを介して受信および表示する手段を１以上ありうる。例えば、家庭の様々な電子デバイスが互いにネットワーキングされて、ユーザに娯楽手段を提供しうる。これら電子デバイスの各々は、通常、コンテンツを受信、処理、および／または、格納する。電子デバイスの例には、パソコン（ＰＣ）、デジタルテレビ（ＤＴＶ）、デジタルビデオディスク（ＤＶＤ）プレーヤ、ビデオカセットレコーダ（ＶＣＲ）プレーヤ、コンパクトディスク（ＣＤ）プレーヤ、セットトップボックス（ＳＴＢ）、ステレオレシーバ、音響／ビデオレシーバ（ＡＶＲ）、メディアセンター、パーソナルビデオレコーダ（ＰＶＲ）、デジタルビデオレコーダ（ＤＶＲ）、ゲームデバイス、デジタルキャムコーダ、デジタルカメラ、ブラックベリー、セルラー式電話機、携帯情報端末（ＰＤＡ）等が含まれうる。ネットワーキングされ接続されたデバイスはさらに、インターネットプロトコル（ＩＰ）入力接続、個人対個人（Ｐ２Ｐ）入力接続、ケーブル／衛星／ブロードキャスト入力接続、ＤＶＢ−ＨおよびＤＭＢ−Ｔトランシーバ接続、ＡＴＳＣおよびケーブルテレビチューナ、ＵＭＴＳおよびＷｉＭＡＸ  ＭＢＭＳ／ＭＢＳ、ＤＳＬまたはイーサネット（登録商標）接続を介したＩＰＴＶ、ＷｉＭａｘおよびＷｉｆｉ接続、イーサネット（登録商標）接続等を表す多数の入力からコンテンツを受信するよう適合されうる。
【０００２】
上述したように今日の家庭の多くが、コンテンツを単一の表示デバイスを介して受信および表示する手段を１以上有しうるが、これらデバイスの多くにはユーザ体験面でまだ制限が残っている。例えば、接続されたデジタルテレビ上で（直接に、またはセットトップボックス経由で）インターネットまたはウェブを検索することはもちろん可能ではあるが、複雑なウェブサイトのナビゲーション、キーボード入力、および大量のテキストの読み出し等の多くの場合においてユーザ体験はスムーズなものではないことが多い。概して、ＰＣのほうが、接続されたデジタルテレビよりも、ユーザはインターネットまたはウェブの検索および閲覧等の作業をし易い。しかし、高解像度ビデオ再生、サラウンドサウンド音響、公共の場でのコンテンツ表示等においては、接続されたデジタルテレビがＰＣでのウェブ体験に勝る場合がある。
【０００３】
目下のところ、例えば先ずＰＣで視てから、接続されたデジタルテレビ上にコンテンツを表示する方法は、煩雑なものである。例えば、ユーザは、接続されたデジタルテレビのブラウザにウェブページのＵＲＬをタイプし直したり、ウェブページのお気に入りのショートカットを作成して、接続されたデジタルテレビに対して、ショートカットを手動でコピーしたりする必要があろう。またユーザは、ウェブページのお気に入りのショートカットをウェブサービスに保存して、デジタルテレビ上でそのウェブサービスにログオンしたり、ビデオケーブルを利用してＰＣをデジタルテレビに接続したりする必要もあろう。
【図面の簡単な説明】
【０００４】
【図１】システムの一実施形態を示す。
【図２】ユーザインタフェースの一実施形態を示す。
【図３】論理フローの一実施形態を示す。
【図４】論理フローの一実施形態を示す。
【図５】システムの一実施形態を示す。
【図６】デバイスの一実施形態を示す。
【発明を実施するための形態】
【０００５】
本発明の様々な実施形態は、概して、接続デバイスに向けてコンテンツを押下する方法に係る。幾つかの実施形態では、ユーザは、ネットワークにおける接続デバイス間で、より簡単にコンテンツ（またはウェブベースのコンテンツへのＵＲＬポインタ）を移動させることができるので、ユーザ体験が向上する。本発明の実施形態は、ユーザが１つのデバイスを利用してコンテンツ検索を行ってから、視聴または消費用に、より簡単にコンテンツを別のデバイスに向けて押下することができるようになる。
【０００６】
本発明の限定を意図しない一例では、ＰＣと、（直接に、またはセットトップボックス経由で）接続されたデジタルテレビとが利用される。例えば上述したように、接続されたデジタルテレビ上でインターネットまたはウェブを検索することはもちろん可能ではあるが、複雑なウェブサイトのナビゲーション、キーボード入力、および大量のテキストの読み出し等の多くの場合においてユーザ体験はスムーズなものではないことが多い。概して、ＰＣのほうが、接続されたデジタルテレビよりも、ユーザはインターネットまたはウェブの検索および閲覧等の作業をし易い。しかし、高解像度ビデオ再生、サラウンドサウンド音響再生、公共の場でのコンテンツ表示等においては、接続されたデジタルテレビがＰＣでのウェブ体験に勝る場合がある。
【０００７】
幾つかの実施形態では、先ずＰＣで視聴されたコンテンツを、ＵＰｎＰ（Universal Plug and Play）動作を介してデジタルテレビに向けて押下することができる。動作は、例えばデジタルテレビのブラウザへ全てを入力しなおす必要性をなくすのに利用することができる。動作の一実施形態は、２つのパラメータをとり、このうち、１つのパラメータは、ＰＣが視聴中のもの、または視聴したもの（例えばウェブページのＵＲＬ）を定義し、１つのパラメータは、デジタルテレビが表示すべきもの、またはユーザに利用可能とすべきもの（例えばウェブページのＨＴＭＬ）を定義する。ＰＣは、デジタルテレビに対して定義された動作を提供する。デジタルテレビは、提供された動作を利用して、コンテンツをダウンロードしたり、テレビが表示中の主要なコンテンツに対して重畳されるコンテンツの表示を準備したりする。本発明の実施形態はここではＰＣおよびデジタルテレビまたはセットトップボックスを用いて記載されているが、本発明がこの点に限定されないことには十分注意されたい。本発明の実施形態は、ここで記載する機能を行うよう適合されるデバイスいずれにも適用される。一実施形態が記載され請求されうる。
【０００８】
実施形態によると、接続デバイス（例えばデジタルテレビまたはセットトップボックス）は、主要および押下されたコンテンツの表示をユーザがカスタマイズすることを可能とする。例えば、幾つかの実施形態では、主要なコンテンツは、全スクリーンを含みうる主要なコンテンツのセクションに表示されてよい。押下されたコンテンツは、押下されたコンテンツのセクションに表示されうるが、ここで押下されたコンテンツのセクションは何らかの方法によりスクリーンの主要なコンテンツのセクション上に重畳される。本発明の実施形態によると、ユーザは、主要なコンテンツのセクションおよび押下されたコンテンツのセクションの表示をカスタマイズすることができるようになる（例えば、スクリーンでの配置、サイズ、コンテンツに関連する音響の音量、品質（不透明（opaque）または透明（transparent））、音響のみ、視覚のみ、等）。本発明の実施形態はこれに限定されない。他の実施形態も記載され請求されうる。
【０００９】
本発明の実施形態はさらに、ユーザが、定義されたイベントが起こった場合の表示トリガを構築またはカスタマイズすることを可能とする。例えば、主要なコンテンツのセクションがコマーシャルを表示し始めると、スクリーンにおける、押下されたコンテンツのセクションを拡大して、それに関連する音響の音量を上げる（且つ、主要なコンテンツの音量を下げる）。本発明の実施形態はこれに限定されない。
【００１０】
様々な実施形態が、１以上のエレメントまたはコンポーネントを含みうる。１つのエレメントは、複数の特定の動作を行うよう構成される任意の構造を含みうる。各エレメントは、設計パラメータまたは性能上の制約の任意の組み合わせに応じて、ハードウェア、ソフトウェア、またはそれらの任意の組み合わせとしての実装が可能である。一実施形態は、特定のトポロジーを有する限られた数のエレメントを用いて例示されうるが、その実施形態が、特定の実装に応じて、別のトポロジーを有する、その数よりも多い、または少ないエレメントを含んでもよい。また、「１つの実施形態」または「一実施形態」といった言い回しは、実施形態との関連で記載される特定の特徴、構造、または特性が、少なくとも１つの実施形態に含まれることを意味している旨に留意されたい。「実施形態では」といった言い回しは明細書の随所に見られるが、これらは必ずしも同じ実施形態のことを意味しない場合もある。
【００１１】
図１は、システム１００の一実施形態を示す。図１を参照すると、システム１００は、コンテンツサーバ（１または複数）１０２、ネットワーク接続１０４、およびユーザ環境１０６を含みうる。ユーザ環境１０６は、接続デバイス１０８、表示デバイス１１０、ユーザ入力デバイス１１２、およびデバイス１１４（１１４‐１から１１４‐ｎ、ここでｎは任意の正の整数）を含みうる。接続デバイス１０８は、押下されたコンテンツエンジン１１６およびコンテンツ・カスタマイゼーション・エンジン１１８を含みうる。Ｐ２Ｐ入力１２０およびブロードキャスト／衛星／ケーブル入力１２２がデバイス１０８に接続される。可能性のある入力または接続は、さらに、ＤＶＢ−ＨおよびＤＭＢ−Ｔトランシーバ接続、ＡＴＳＣおよびケーブルテレビチューナ、ＵＭＴＳおよびＷｉＭＡＸ  ＭＢＭＳ／ＭＢＳ、ＤＳＬまたはイーサネット（登録商標）接続を介したＩＰＴＶ、ＷｉＭａｘおよびＷｉｆｉ接続、イーサネット（登録商標）接続を含みうる。これらエレメントの各々を以下に詳述する。
【００１２】
コンテンツサーバ１０２は、ネットワーク接続１０４を介してアクセス可能なコンテンツを含みうる。幾つかの実施形態では、コンテンツサーバ１０２は、ウェブページの形態のコンテンツを含みうる。コンテンツサーバ１０２は、ユーザ環境１０６（および図１には示されていない他のユーザ環境）と、ネットワーク接続１０４を介して通信しうる。ネットワーク接続１０４は、高速インターネット接続であっても、特定用途に適した任意の他の種類の接続であってもよい。新たな接続が開発された場合には、他の種類の接続を追加しても、他の種類の接続で置き換えてもよい。
【００１３】
幾つかの実施形態では、ユーザ環境１０６は、接続デバイス１０８を含みうる。接続デバイス１０８は、ユーザ各々が所有しても、ユーザ各々から借用しても、またはライセンス供与されてもよい。接続デバイス１０８は、ネットワーク接続１０４に接続されており、例えば固有のＩＰアドレスでサーバ１０２と通信してよい。幾つかの実施形態では、接続デバイス１０８が、異なる媒体ソースまたはコンテンツソースをサポートする多数の入力を受信するよう適合される。多数の入力は、有線、無線、または両者の組み合わせを含む様々な種類の接続を表してよい。より詳しくは、多数の入力は、インターネットプロトコル（ＩＰ）入力接続（例えば、ネットワーク接続１０４）、個人対個人（Ｐ２Ｐ）入力接続１２０、ブロードキャスト／衛星／ケーブル入力接続１２２、ＤＶＢ−ＨおよびＤＭＢ−Ｔトランシーバ接続、ＡＴＳＣおよびケーブルテレビチューナ、ＵＭＴＳおよびＷｉＭＡＸ  ＭＢＭＳ／ＭＢＳ、ＤＳＬまたはイーサネット（登録商標）接続を介したＩＰＴＶ、ＷｉＭａｘおよびＷｉｆｉ接続、イーサネット（登録商標）接続、および、様々な電子デバイス１１４‐１から１１４‐ｎからの入力を表してよい。電子デバイスの例としては、ＰＣ、ラップトップ、テレビ、ＤＶＤプレーヤ、ＶＣＲプレーヤ、ＣＤまたは音楽プレーヤ、ＳＴＢ、ステレオレシーバ、ＡＶＲ、メディアセンター、ＰＶＲ、ＤＶＲ、ゲームデバイス、デジタルキャムコーダ、デジタルカメラ、ブラックベリー、セルラー式電話機、ＰＤＡ、ラップトップ、フラッシュデバイス等が含まれうるが、これらに限定はされない。
【００１４】
幾つかの実施形態では、コンテンツは任意の種類のコンテンツまたはデータであってよい。コンテンツの一般的な例には、媒体情報、音声情報、ビデオ情報、音響情報、画像情報、テクスチャ情報、数字情報、英数字記号、グラフィック等の、ユーザ宛の情報を表す任意のデータまたは信号が含まれてよい。しかし実施形態はこれに限定されない。
【００１５】
幾つかの実施形態では、接続デバイス１０８は、パーソナルビデオレコーダ（ＰＶＲ）機能を含むデバイスを表しうる。ＰＶＲ機能は、例えば、デジタルフォーマット（例えばＭＰＥＧ−１またはＭＰＥＧ−２フォーマット）のテレビデータを記録して、ハードドライブまたはサーバにデータを格納する。データはさらに、家庭または会社環境全体を通じた１以上の接続デバイス上などの配信形式で格納されてもよい。幾つかの実施形態では、１つのＰＶＲが、デジタル如何に関わらず全ての記録物の収容装置（例えばＤＶＲ）として利用されうる。
【００１６】
幾つかの実施形態では、先ずデバイス１１４のうちの１つ（例えば１つのＰＣ）で視聴されたコンテンツが、ある動作により、接続デバイス１０８に向けて押下されてよい。この動作の一実施形態は、２つのパラメータをとり、このうち、１つのパラメータは、デバイス１１４が視聴中のもの（例えばコンテンツサーバ１０２上のウェブページのＵＲＬ）を定義し、１つのパラメータは、接続デバイス１０８が表示すべきもの（例えばウェブページのＨＴＭＬ）を定義する。幾つかの実施形態では、コンテンツは、ウェブベースのコンテンツの、１以上のＵＲＬポインタのことであってもよい。
【００１７】
幾つかの実施形態では、デバイス１１４は、定義された動作を、押下されたコンテンツエンジン１１６を介して、接続デバイス１０８に提供する。押下されたコンテンツエンジン１１６は、提供された動作を利用して、コンテンツをダウンロードしたり、接続デバイス１０８（例えば、表示デバイス１１０）を介して現在表示中である主要なコンテンツに対して重畳されるコンテンツの表示を準備したりする。上述したように、本発明の一実施形態は、ＰＣであるデバイス１１４と、デジタルテレビまたはセットトップボックスである、接続デバイス１０８とを含みうるが、本発明はこれに限定されない。デバイス１０８および／または１１４は、ここで記載する実施形態の機能を行うよう適合された任意のデバイスであってよい。
【００１８】
以下に、動作の一実施形態の実装例を記載する。この実装例は、例示を目的としており、本発明の限定は意図していない。ここで、ＨＴＭＬ表示動作（Display HTML action）は、ＵＰｎＰ（Universal Plug and Play）サービス内で定義されている。ＨＴＭＬ表示動作により、デバイス１１４（例えばＰＣ）は、接続デバイス１０８（例えば、接続されたデジタルテレビまたはセットトップボックス）に向けて、ＨＴＭＬコンテンツを押下することができる。
【００１９】
一般的に、ＵＰｎＰアーキテクチャにより、ＰＣのピアツーピア（Ｐ２Ｐ）ネットワーキング、ネットワーキングされた機器および無線デバイスが可能となる。通常、任意のベンダーからの、ＵＰｎＰと互換性のあるデバイスは、動的にネットワークに参加して、ＩＰアドレスを取得して、その名称を告知して、自身の機能を要請に応じて伝達して、他のデバイスの存在および機能について知ることができる。
【００２０】
幾つかの実施形態では、ＵＰｎＰ発見プロトコルにより、デバイスは、自身のサービスを公示して、ネットワークのポイントを制御することができる。同様にして、制御ポイントがネットワークに加わった場合、ＵＰｎＰ発見プロトコルにより、制御ポイントは、対象のデバイスをネットワーク上で検索することができる。このような場合における基本的な交換物は、デバイスまたはサービスのいずれかについて幾らかの本質的な詳細を含む発見メッセージである。この詳細は、例えば、その種類、識別子、および／または、より詳細な情報へのポインタを含みうる。ＵＰｎＰ発見プロトコルは、ＳＳＤＰ（Simple Service Discovery Protocol）に基づいてよい。幾つかの実施形態では、ＳＳＤＰにより、デバイス１１４は、ネットワーク上で、接続デバイス１０８を発見することができるようになる。接続デバイス１０８を発見すると、デバイス１１４は、該接続デバイスの記述を自動的にダウンロードして、それが提供するサービスを確認してよい。ＨＴＭＬ表示動作の一実施形態のネットワーク出力の一例を以下に示す。
【表１】
2010152885.tif 000003
【００２１】
ＨＴＭＬ表示動作により、デバイス１１４のユーザは、ウェブページの全ＨＴＭＬ、ウェブページのＨＴＭＬのサブセクション、または、ウェブページに埋め込まれたアプリケーション（例えばフラッシュプレーヤ）を含むＨＴＭＬを、接続デバイス１０８に向けて押下することができる。より詳しくは、ＨＴＭＬ表示動作は、２つのパラメータをとり、このうち、１つのパラメータは、デバイス１１４が視聴中のもの（例えばウェブページのＵＲＬ）を定義し、１つのパラメータは、接続デバイス１０８が表示すべきもの（例えばウェブページのＨＴＭＬ）を定義する。幾つかの実施形態では、第２の、またはＨＴＭＬのパラメータがブランクの場合に、第１の、またはＵＲＬのパラメータから全ページを表示する、というデフォルトの規則が構築されてもよい。第２の、またはＨＴＭＬのパラメータが、ＨＴＭＬ内に複数の相対的なリンクを有する場合には、押下されたコンテンツエンジン１１６は、ＵＲＬパラメータを利用して、これら相対的なリンク間を適切にリゾルブ（resolve）する。上述の例において、接続デバイス１０８は、ＵＲＬパラメータに示されるＹｏｕＴｕｂｅ（登録商標）ページ上のフラッシュビデオプレーヤのみを表示する。幾つかの実施形態では、接続デバイス１０８およびデバイス１１４は、同じアーキテクチャ（例えばウェブプラグイン）を有すことがあるために、それらは例えば同じフラッシュプレーヤを有することがあるので、接続デバイス１０８は、ＨＴＭＬ表示動作に定義されるようなビデオコンテンツのシームレスなダウンロードおよび再生ができる。
【００２２】
上述したように、ユーザは、ＨＴＭＬ表示動作を利用して、ウェブページの全ＨＴＭＬ、ウェブページのＨＴＭＬのサブセクション、または、ウェブページに埋め込まれたアプリケーション（例えばフラッシュプレーヤ）を含むＨＴＭＬを、接続デバイス１０８に向けて押下することができる。この活用場面の一例を示すと、タイソン氏がＰＣ（例えばデバイス１１４）でウェブを閲覧しているとする。タイソン氏は、面白いビデオを見つけて、家族でそのシリーズ一式を視聴しようと思うに至った。タイソン氏は、フラッシュプレーヤをＰＣ上で右クリックして、「ＴＶへ送る」というオプションを選択することで、ＨＴＭＬ表示動作を利用する。しばらくして、家族のデジタルテレビ（例えば、接続デバイス１０８）で、そのビデオが表示スクリーン上で再生準備完了状態になった。彼の家族はソファに集まり、楽しく視聴した。別の例では、ヘイリー氏がラップトップ（例えばデバイス１１４）を利用している際に、新たな映画の予告編を見たいと思った。ヘイリー氏は、インターネット検索を行い、予告編を放映しているサイトを発見した。そのサイトの予告編は、１０８０Ｐビデオ解像度であった。ヘイリー氏のラップトップの表示スクリーンは１０８０Ｐビデオ解像度よりも解像度がずっと低かったので、彼女はそのページを、ＨＴＭＬ表示動作を用いてデジタルテレビ（例えば、接続デバイス１０８）に送った。こうしてヘイリー氏は彼女のデジタルテレビで家庭用娯楽システムを活用することで、予告編を全１０８０Ｐビデオ解像度で、しかもより良い音響で視聴することができた。これらの活用場面の例は、あくまで例示であり、本発明の実施形態を制限するものではない。
【００２３】
上述したように、幾つかの実施形態では、接続デバイス１０８により、ユーザは、主要なコンテンツおよび押下されたコンテンツの表示をカスタマイズすることができる。このカスタマイゼーションは、コンテンツ・カスタマイゼーション・エンジン１１８（図１）により行われうる。例えば、幾つかの実施形態では、主要なコンテンツは、全スクリーンを含みうる主要なコンテンツのセクションに表示されてよい。押下されたコンテンツは、押下されたコンテンツのセクションに表示されうるが、ここで押下されたコンテンツのセクションは何らかの方法によりスクリーンの主要なコンテンツのセクション上に重畳される。本発明の実施形態によると、ユーザは、主要なコンテンツのセクションおよび押下されたコンテンツのセクションの表示をカスタマイズすることができるようになる（例えば、スクリーンでの配置、サイズ、コンテンツに関連する音響の音量、品質（不透明（opaque）または透明（transparent））、音響のみ、視覚のみ、等）。本発明の実施形態はこれに限定されない。
【００２４】
図１では、押下されたコンテンツエンジン１１６およびコンテンツ・カスタマイゼーション・エンジン１１８は、２つの別個のエレメントまたはコンポーネントとして示されているが、本発明の実施形態はこれに限定されない。例えば、エンジン１１６および１１８の機能を組み合わせて１つのコンポーネントにしたり、３つ以上のコンポーネントに分離したりすることもできる。本発明の実施形態はこれに限定されない。
【００２５】
図２には、ユーザインタフェース２００の一実施形態が示されている。ユーザインタフェース２００は、主要なコンテンツのセクション２０２と、押下されたコンテンツのセクション２０４とを含みうる。ユーザインタフェース２００は、例えば、表示デバイス１１０上に表示されてよい（図１）。押下されたコンテンツのセクション２０４は１つのセクションまたはウィンドウを有するとして示されているが、これは本発明の限定を意図はしていない。これらセクションの各々を以下に詳述する。
【００２６】
幾つかの実施形態では、主要なコンテンツのセクション２０２が、ユーザが視聴中の第一の、あるいは主要なコンテンツを表示している。主要なコンテンツは、ケーブルまたは衛星供給によりブロードキャストされ、受信されても、デジタル記録デバイス（ＰＶＲまたはＤＶＲ等）上に予め記録されていても、格納されていてもよく、ＩＰ接続を介してインターネット経由でストリーミングされダウンロードされて、ホームローカルエリアネットワーク（ＬＡＮ）上に格納され、様々な種類のビデオインターコネクト（例えば、ビデオグラフィックアレイ（ＶＧＡ）、高精細マルチメディアインタフェース（ＨＤＭＩ）、コンポーネントビデオ、コンポジットビデオ等）を介して受信されてもよい。接続または入力は、さらに、ＤＶＢ−ＨおよびＤＭＢ−Ｔトランシーバ接続、ＡＴＳＣおよびケーブルテレビチューナ、ＵＭＴＳおよびＷｉＭＡＸ  ＭＢＭＳ／ＭＢＳ、ＤＳＬまたはイーサネット（登録商標）接続を介したＩＰＴＶ、ＷｉＭａｘおよびＷｉｆｉ接続、イーサネット（登録商標）接続を含みうる。幾つかの実施形態では、セクション２０２に表示中のコンテンツは、ユーザによる変更ができない。セクション２０２に表示されるコンテンツには、ショーまたは番組、グラフィック、ビデオゲーム、本、短いビデオ（video shorts）、ビデオプレビュー、ニュースクリップ、ニュースハイライト、等が含まれうる。関連する音声、音響、音楽等も、セクション２０２に表示されるコンテンツとともに提示されてよい。
【００２７】
幾つかの実施形態では、押下されたコンテンツのセクション２０４に表示されるコンテンツは、提供された動作に定義されている、押下されたコンテンツの出所を表してもよい。幾つかの実施形態では、セクション２０４に表示されるコンテンツは、例えば、任意のコンテンツ、情報、グラフィック（例えば音響、ビデオまたはグラフィック信号）、またはテキスト（例えばＵＲＬリンク）であってよい。幾つかの実施形態では、コンテンツは、ＩＰ接続を介して（例えば、図１のコンテンツサーバ１０２およびネットワーク接続１０４を介して）、Ｐ２Ｐ接続（例えば入力１２０）を介して、ブロードキャスト／衛星／ケーブル（例えば入力１２２）を介して、ＤＶＢ−ＨおよびＤＭＢ−Ｔトランシーバ接続、ＡＴＳＣおよびケーブルテレビチューナ、ＵＭＴＳおよびＷｉＭＡＸ  ＭＢＭＳ／ＭＢＳを介して、ＤＳＬまたはイーサネット（登録商標）接続を介したＩＰＴＶを介して、ＷｉＭａｘおよびＷｉｆｉ接続を介して、イーサネット（登録商標）接続を介して、等インターネットから、接続デバイス１０８へストリーミングまたはダウンロードされてよい。他の実施形態では、コンテンツは、任意のＵＳＢデバイス接続（例えばデバイス１１４からのもののような）を介して受信されたコンテンツであってもよい。ユーザインタフェース２００は、表示デバイス（例えば表示デバイス１１０）上に表示されてよい。テレビは表示デバイスの一例である。他の例には、ビデオを表示するスクリーンを有するモバイルインターネットデバイス（ＭＩＤ）、セルラー式電話機、ＰＣ、ラップトップ、または、本発明の実施形態の実施を促すよう適合された任意の他のデバイスが含まれうるが、これらに限定はされない。
【００２８】
幾つかの実施形態では、接続デバイス１０８は、コンテンツ・カスタマイゼーション・エンジン１１８およびカスタマイゼーション規則により押下されたコンテンツの表示を、ユーザがカスタマイズするができる。例えば、幾つかの実施形態では、主要なコンテンツの出所が、表示スクリーンの主要なコンテンツのセクション２０２（全スクリーンを含みうる）に表示されてもよい。押下されたコンテンツの出所は、押下されたコンテンツのセクション２０４に表示されうるが、ここで押下されたコンテンツのセクションは何らかの方法によりスクリーンの主要なコンテンツのセクション上に重畳される。実施形態によると、押下されたコンテンツのセクション２０４は、先ず、ユーザに起動されると押下されたコンテンツを、接続デバイス１０８にダウンロードおよび表示させるような、何らかの種類のリンクを表示してよい。他の実施形態では、接続デバイス１０８は、押下されたコンテンツのセクション２０４に、押下されたコンテンツを自動的にダウンロードおよび表示してもよい。本発明の実施形態はこれに限定されない。
【００２９】
本発明の実施形態によると、ユーザは、主要なコンテンツのセクションおよび押下されたコンテンツのセクションの表示をカスタマイズすることができる（例えば、スクリーンでの配置、サイズ、コンテンツに関連する音響の音量、品質（不透明（opaque）または透明（transparent））、音響のみ、視覚のみ、等）。本発明の実施形態はこれに限定されない。
【００３０】
図２を再度参照すると、ユーザインタフェース２００は、セクション２０４が主要なコンテンツのセクション２０２よりも小さいサイズであり、ユーザインタフェース２００の下部領域に位置しているような表示フォーマットを示している。本発明の実施形態は、図２に示す表示フォーマットに限定されない。実際、本発明の実施形態によると、ユーザは、セクション２０４に表示されるコンテンツをカスタマイズすることができ、例えばコンテンツ・カスタマイゼーション・エンジン１１８を介して、ユーザインタフェース２００におけるセクション２０４の位置およびサイズをカスタマイズすることができる。ここで、ユーザは、番組の要素を、ＩＰ配信サイトまたはサービスから、または、ユーザにセクション２０４をカスタマイズさせ、ユーザの嗜好を反映するＵＳＢデバイス（一例）から、接続デバイス（例えば図１における、接続デバイス１０８）にダウンロードしてよい。セクション２０４のカスタマイゼーションは、同数のウィンドウ、そのウィンドウの各々に表示されるコンテンツ、ユーザインタフェース２００上のセクション２０４のサイズおよび位置等を含みうる。幾つかの実施形態では、ユーザは、押下されたコンテンツのセクション２０４のウィンドウに表示中のものを視聴する選択をすることができる。ここで、ウィンドウは、全ユーザインタフェース２００を含むよう拡張されてもよい。
【００３１】
幾つかの実施形態では、ユーザは、接続デバイス１０８を利用することで、単一の表示デバイス上の主要なコンテンツに、主要なコンテンツを変更することなく、押下されたコンテンツを重畳または混合させることができる。幾つかの実施形態では、主要なコンテンツは復号されて、その後、押下されたコンテンツとともに再度符号化されもよい。幾つかの実施形態では、押下されたコンテンツおよび主要なコンテンツの重畳または混合は、マイクロプロセッサ、チップセット、グラフィックカード等によるハードウェアによる重畳または混合であってもよい。他の実施形態では、押下されたコンテンツおよび主要なコンテンツの重畳または混合は、特定のアプリケーション、オペレーティングシステム等を介したソフトウェアによる重畳または混合であってもよい。また別の実施形態では、重畳または混合は、ハードウェアおよび／またはソフトウェアコンポーネントの組み合わせにより行われてもよい。加えて、コンテンツがスクリーンに向かっている間は、パイプ自身に、または別の方法を介した、幾らかの重畳または混合があってもよい。これは、無線接続技術、有線接続技術、または両者の組み合わせにより実装可能である。ユーザは、ユーザインタフェース２００を、接続デバイス１０８上で直接的に、または、例えば遠隔制御またはＰＣ等のユーザ入力デバイス１１２（図１）を介して、カスタマイズまたはコンフィギュレーションすることができる。
【００３２】
本発明の実施形態は、さらに、ユーザが、定義されたイベントが起こった場合のトリガに関するカスタマイゼーション規則を定義することを可能とする。例えば、主要なコンテンツのセクション２０２がコマーシャルを表示し始めると、スクリーンにおける、押下されたコンテンツのセクション２０４を拡大して、それに関連する音響の音量を上げる（且つ、主要なコンテンツの音量を下げる）。コマーシャルが終了すると、押下されたコンテンツのセクション２０４を通常のサイズに縮小して、音量を適宜調節する。本発明の実施形態はこれに限定されない。
【００３３】
図１に戻ると、ユーザ環境１０６は、さらに、表示デバイス１１０とユーザ入力デバイス１１２とを含む。表示デバイス１１０は、モニター、プロジェクタ、従来のアナログテレビ受像機、ＭＩＤ、セルラー式電話機、ＰＣ、ラップトップ、または、知覚可能なビデオディスプレイを有する任意の他の種類のデバイスであってよい。接続デバイスの出力の音響部分は、音響／ビデオ（Ａ／Ｖ）レシーバまたは音響処理エンジン等の増幅器を介して、ヘッドフォン、スピーカ、または任意の他の種類の音響生成デバイスへとルーティングされてよい。ユーザ入力デバイス１１２は、ユーザに、接続デバイス１０８と通信させるのに適した任意の種類の入力デバイスであってよい。本発明の実施形態は、家庭用娯楽システムとして記載されるかもしれないが、これは本発明に対する限定を意図していない。本発明の実施形態は、会社環境、研究環境、病院または機関（institution）といった環境、等を含むがこれらに限られない任意の接続された環境に対する適用が可能である。
【００３４】
様々な実施形態では、システム１００は、無線システム、有線システム、または両者の組み合わせとして実装可能である。無線システムとして実装される場合、システム１００は、１以上のアンテナ、トランスミッタ、レシーバ、トランシーバ、増幅器、フィルタ、制御ロジック等の無線共有媒体（wireless shared media）を介して通信するのに適したコンポーネントおよびインタフェースを含みうる。無線共有媒体の例には、ＲＦスペクトル等の無線スペクトルの部分が含まれうる。有線システムとして実装される場合、システム１００は、入出力（Ｉ／Ｏ）アダプタ、Ｉ／Ｏアダプタを対応する有線通信媒体に接続する物理的コネクタ、ネットワークインタフェースカード（ＮＩＣ）、ディスクコントローラ、ビデオコントローラ、音響コントローラ、等の、有線通信媒体を介した通信に適したコンポーネントおよびインタフェースを含みうる。有線通信媒体の例としては、有線、ケーブル、金属線（metal lead）、プリント回路基板（ＰＣＢ）、バックプレーン、スイッチファブリック、半導体材料、ツイストペア線、同軸ケーブル、光ファイバー等が含まれてよい。
【００３５】
ここで記載される実施形態は、以下の図面および添付例で詳述している場合がある。図面の幾らかは論理フローを含みうる。ここで提示される幾らかの図面は、特定の論理フローを含みうるが、論理フローは、記載される汎用的な機能をどのように実装しうるかを示す一例を提供しているにすぎない。さらに、与えられる論理フローは、特に明記がない限り、必ずしも提示されている順序どおりに実行される必要はない。加えて、与えられる論理フローは、ハードウェアエレメント、プロセッサが実行するソフトウェアエレメント、またはこれらの任意の組み合わせにより実装されてよい。しかし、実施形態は、図面に例示または記載されるエレメントまたはコンテキストに限定されない。
【００３６】
図３は、論理フロー３００の一実施形態を示す。論理フロー３００の各ブロックは上述したとおりである。論理フロー３００が示すように、ネットワーク上に少なくとも２つのデバイスが接続されており発見されている（例えば図１の、接続デバイス１０８およびデバイス１１４）（ブロック３０２）。デバイスのうち一方（例えばデバイス１１４）を利用してデバイスのうち他方（例えば接続デバイス１０８）に向けて押下するのが望ましいコンテンツを見つける（ブロック３０４）。動作を定義または作成して、コンテンツを他のデバイスに向けて押下するのに利用する（ブロック３０６）。幾つかの実施形態では動作は２つのパラメータを有する。第１のパラメータが、第１のデバイス（例えばデバイス１１４）が視聴中または視聴したことのあるコンテンツを示す。第２のパラメータは、他のデバイス（例えば接続デバイス１０８）がユーザに対して表示、または利用可能にするコンテンツを示す。他のデバイスは動作を受信して、それを利用してコンテンツをダウンロードして、ユーザに対して利用可能とする（ブロック３０８）。
【００３７】
図４は、論理フロー４００の一実施形態を示す。論理フロー４００の各ブロックは上述したとおりである。論理フロー４００に示されるように、１つのデバイス（例えば図１のデバイス１１４）は、ＳＳＤＰプロトコルを用いて、接続デバイス（例えば図１の接続デバイス１０８）を発見する（ブロック４０２）。ひとたび発見されると、このデバイスは、接続デバイスの記述を自動的にダウンロードして、それが提供するサービスを確認する（ブロック４０４）。デバイスは、接続デバイスに対して、ＨＴＭＬ表示動作を、送る、または利用可能にする（ブロック４０６）。上述したように、ＨＴＭＬ表示動作の実施形態は、２つのパラメータを有してよい。接続デバイスは、ＨＴＭＬ表示動作を受信して、これを用いて、コンテンツをダウンロードする、または、ユーザに対してこのコンテンツを利用可能にする（ブロック４０８）。上述したように、幾らかの実施形態では、第２のパラメータがブランクのままの場合には、接続デバイスは、第１のパラメータが示すコンテンツをユーザに対して利用可能にする。
【００３８】
図５は、プラットフォーム５０２（図１の接続デバイス１０８）の一実施形態を示す。一実施形態では、プラットフォーム５０２は、例えばインテル（登録商標）コーポレーション製造のＶｉｉｖＴＭメディアプラットフォームのようなメディアプラットフォーム５０２を含んでよい、またはこのようなメディアプラットフォーム５０２として実装されてよい。一実施形態では、プラットフォーム５０２は、コンテンツサーバ（例えば、図１のネットワーク接続１０４を介するサーバ１０２）と相互作用してよい。
【００３９】
一実施形態では、プラットフォーム５０２は、例えば、ＣＰＵ５１２、チップセット５１３、１以上のドライバ５１４、１以上のネットワーク接続５１５、オペレーティングシステム５１６、および／または、１以上のソフトウェアアプリケーションを含む１以上のメディアセンターアプリケーション５１７を含みうる。プラットフォーム５０２はさらに、記憶装置５１８、押下されたコンテンツ・エンジン・ロジック５２０およびコンテンツ・カスタマイゼーション・エンジン・ロジック５２２を含みうる。
【００４０】
一実施形態では、ＣＰＵ５１２は、デュアルコアプロセッサ等の１以上のプロセッサを含みうる。デュアルコアプロセッサの例には、インテル（登録商標）コーポレーション製造のペンティアム（登録商標）Ｄプロセッサおよびペンティアム（登録商標）プロセッサ・エクストリーム・エディション（両方ともインテルコアデュオ（登録商標）プロセッサと称されうる）が含まれる。
【００４１】
一実施形態では、チップセット５１３は、インテル（登録商標）９４５エクスプレス・チップセット・ファミリー、インテル（登録商標）９５５Ｘエクスプレス・チップセット、インテル（登録商標）９７５Ｘエクスプレス・チップセット・ファミリーのいずれかまたは全て、且つ、ＩＣＨ７‐ＤＨ、またはＩＣＨ７‐ＭＤＨコントローラハブ（全てインテル（登録商標）コーポレーション製造）を含みうる。
【００４２】
一実施形態では、ドライバ５１４は、インテル（登録商標）製造のＱｕｉｃｋ  Ｒｅｓｕｍｅ  Ｔｅｃｈｏｌｏｇｙ  Ｄｒｉｖｅｒｓを含むことで、例えばイネーブルされると、最初の起動後に、ユーザのボタンタッチによりテレビ等のプラットフォーム５０２が即座に電源オン・オフされるようにしてよい。加えて、チップセット５１３は、例えば、５．１サラウンドサウンド音響および・または高精細７．１サラウンドサウンド音響等用のハードウェアおよび／またはソフトウェアサポートを有してよい。ドライバ５１４は、集積グラフィックプラットフォーム用のグラフィックドライバを含みうる。一実施形態では、グラフィックドライバは、周辺コンポーネント・インターコネクト（ＰＣＩ）エクスプレス・グラフィック・カードを含みうる。
【００４３】
一実施形態では、ネットワーク接続５１５は、ＰＲＯ／１０００ＰＭ、または、ＰＲＯ／１００  ＶＥ／ＶＭネットワーク接続（両方ともインテル（登録商標）コーポレーション製造）を含みうる。
【００４４】
一実施形態では、オペレーティングシステム５１６は、マイクロソフト（登録商標）コーポレーション製造のウィンドウズ（登録商標）ＸＰメディアセンターを含みうる。他の実施形態では、オペレーティングシステム５１６は、リナックス（登録商標）および他の種類のオペレーティングシステムを含みうる。一実施形態では、１以上のメディアセンターアプリケーション５１７が、例えばプラットフォーム５０２または表示デバイスから約１０フィート離れた距離にいるユーザの遠隔制御デバイスとの相互作用を可能とするようなメディアシェルを含んでもよい。一実施形態では、メディアシェルは、例えば、「１０フィートユーザインタフェース」を称されることがある。加えて、１以上のメディアセンターアプリケーション５１７がインテル（登録商標）製造のＱｕｉｃｋ  Ｒｅｓｕｍｅ  Ｔｅｃｈｏｌｏｇｙを含むことで、即座のオン／オフ機能を有し、プラットフォームが「オフ」のときにプラットフォーム５０２がメディアアダプタに対してコンテンツをストリーミングすることを可能としてよい。
【００４５】
一実施形態では、記憶装置５１８は、インテル（登録商標）製造のＭａｔｒｉｘ  Ｓｔｏｒａｇｅ  ｔｅｃｈｎｏｌｏｇｙを有することで、多数のハードドライブが含まれる際に、価値あるデジタル媒体の格納性能向上保護を向上させてよい。幾つかの実施形態では、押下されたコンテンツ・エンジン・ロジック５２０およびコンテンツ・カスタマイゼーション・エンジン・ロジック５２２を利用して、ここに記載する本発明の機能を可能とする。
【００４６】
プラットフォーム５１０は、１以上の論理または物理チャネルを構築して、情報交換を行ってよい。情報には、媒体情報および制御情報が含まれうる。媒体情報は、ユーザ向けのコンテンツを表す任意のデータのことであってよい。制御情報は、自動化システム向けのコマンド、命令、または制御用語を表す任意のデータのことであってよい。例えば、制御情報は、媒体情報をシステム経由でルーティングする用途に、または、媒体情報を所定の様式で処理するようノードに命令する用途に利用されてよい。実施形態は、図５に例示または記載されるエレメントまたはコンテキストに限定されない。
【００４７】
図６は、ここに記載する本発明の機能を実装されうるデバイス６００の一実施形態を示す。一実施形態では、例えば、デバイス６００は通信システムを含みうる。様々な実施形態では、デバイス６００は、処理システム、コンピューティングシステム、モバイルコンピューティングシステム、モバイルコンピューティングデバイス、モバイルワイヤレスデバイス、コンピュータ、コンピュータプラットフォーム、コンピュータシステム、コンピュータ・サブシステム、サーバ、ワークステーション、端末、パソコン（ＰＣ）、ラップトップコンピュータ、ウルトラ・ラップトップ・コンピュータ、ポータブルコンピュータ、ハンドヘルドコンピュータ、携帯情報端末（ＰＤＡ）、セルラー式電話機、セルラー式電話機／ＰＤＡ複合機、スマートフォン、ページャ、単方向ページャ、両方向ページャ、メッセージデバイス、ブラックベリー等を含みうる。実施形態はこれに限定されない。
【００４８】
一実施形態では、デバイス６００は、有線通信システム、無線通信システム、または両者の組み合わせの一部として実装されてもよい。一実施形態では、例えば、デバイス６００は、無線機能を有するモバイルコンピューティングデバイスとして実装されてよい。モバイルコンピューティングデバイスは、処理システムを有する任意のデバイスと称されることもあり、１以上のバッテリー等のモバイル電源または電源供給として称されることもある。
【００４９】
モバイルコンピューティングデバイスの例には、ラップトップコンピュータ、ウルトラ・ラップトップ・コンピュータ、ポータブルコンピュータ、ハンドヘルドコンピュータ、パームトップコンピュータ、携帯情報端末（ＰＤＡ）、セルラー式電話機、セルラー式電話機／ＰＤＡ複合機、スマートフォン、単方向ページャ、両方向ページャ、メッセージデバイス、データ通信デバイス等が含まれうる。
【００５０】
一実施形態では、例えば、モバイルコンピューティングデバイスは、コンピュータアプリケーション、且つ、音声通信および／またはデータ通信を実行する機能を有するスマートフォンとして実装されてよい。幾らかの実施形態は、一例としてスマートフォンとして実装されたモバイルコンピューティングデバイスとともに記載されるが、他の実施形態では、他のワイヤレスモバイルコンピューティングデバイスを利用した実装も可能であることを理解されたい。実施形態はこれに限定されない。
【００５１】
図６に示すように、デバイス６００は筐体６０２、ディスプレイ６０４、入出力（Ｉ／Ｏ）デバイス６０６、およびアンテナ６０８を含みうる。デバイス６００はさらに、５方向ナビゲーションボタン６１２を含みうる。Ｉ／Ｏデバイス６０６は、例えば、適切なキーボード、マイクロフォン、および／または、スピーカを含みうる。ディスプレイ６０４は、モバイルコンピューティングデバイスに適した情報を表示するのに適した任意の表示ユニットを含んでよい。Ｉ／Ｏデバイス６０６は、モバイルコンピューティングデバイスへ情報を入力する任意の適切なＩ／Ｏデバイスを含んでよい。Ｉ／Ｏデバイス６０６の例には、英数字キーボード、数字キーボード、タッチパッド、入力キー、ボタン、スイッチ、ロッカースイッチ、音声認識デバイスおよびソフトウェア等を含みうる。情報はさらにマイクロフォン経由でデバイス６００へと入力されてもよい。情報は音声認識デバイスによりデジタル化されてもよい。図６には明示していないが、デバイス６００は、ここで記載する本発明の機能を可能とするのに利用されうる押下されたコンテンツ・エンジン・ロジックおよびコンテンツ・カスタマイゼーション・エンジン・ロジックを含みうる、またはこれらへのアクセスを有しうる。しかし、実施形態は、図６に例示または記載されるエレメントまたはコンテキストに限定されない。
【００５２】
様々な実施形態が、ハードウェアエレメント、ソフトウェアエレメント、または両者の組み合わせを利用して実装されてよい。ハードウェアエレメントの例には、プロセッサ、マイクロプロセッサ、回路、回路エレメント（例えばトランジスタ、抵抗器、コンデンサ、インダクタ等）、集積回路、特定用途向けＩＣ（ＡＳＩＣ）、プログラマブル・ロジック・デバイス（ＰＬＤ）、デジタル信号プロセッサ（ＤＳＰ）、フィールド・プログラマブル・ゲート・アレイ（ＦＰＧＡ）、ロジックゲート、レジスタ、半導体デバイス、チップ、マイクロチップ、チップセット等が含まれうる。ソフトウェアの例には、ソフトウェアコンポーネント、プログラム、アプリケーション、コンピュータプログラム、アプリケーションプログラム、システムプログラム、機械プログラム、オペレーションシステムソフトウェア、ミドルウェア、ファームウェア、ソフトウェアモジュール、ルーチン、サブルーチン、機能、方法、手順、ソフトウェアインタフェース、アプリケーション・プログラム・インタフェース（ＡＰＩ）、命令セット、コンピューティングコード、コンピュータコード、コードセグメント、コンピュータコードセグメント、ワード、値、記号、またはこれらの任意の組み合わせが含まれうる。一実施形態の実装を、ハードウェアエレメントおよび／またはソフトウェアエレメントのいずれを利用して行うかについての判断は、任意の数の要素に応じて変化してよい（例えば所望の計算速度、電源レベル、熱許容度、処理サイクルバジェット、入力データ速度、出力データ速度、メモリリソース、データバス速度、および他の設計または性能面での制約）。
【００５３】
幾らかの実施形態では、「連結」、「接続」、およびその派生語を利用している場合がある。これら用語は、互いに同義語であることを意図していない。例えば、幾らかの実施形態においては、「接続」とう用語を用いるおとで、２以上のエレメントが互いに直接物理的または電気的接触関係にあることを示している。「連結」とは、さらに、２つ以上の部材が直接互いに接触はしないが、それでも互いに協働、または相互作用することを示している場合がある。
【００５４】
本発明の幾らかの実施形態は、例えば、機械または物理的可読媒体または物品を用いて実装されてよく、これらは、機械によって実行されると、本発明の実施形態に係る方法および／または動作を機械に実行させる命令または一連の命令を格納してよい。このような機械は、例えば、いかなる適切な処理プラットフォーム、コンピューティングプラットフォーム、コンピューティングデバイス、処理デバイス、コンピューティングシステム、処理システム、コンピュータ、または、プロセッサ等を含んでよく、ハードウェアおよび／またはソフトウェアのいかなる適切な組合せを用いて実装されてよい。機械可読媒体または物品は、例えば、いかなる適切なタイプのメモリユニット、メモリデバイス、メモリ物品、メモリ媒体、記憶装置、記憶物品、記憶媒体および／または記憶ユニットを含んでよく、例えば、メモリ、取り外し可能または固定の媒体、消去可能または消去不可能な媒体、書き込み可能または再書き込み可能な媒体、デジタルまたはアナログ媒体、ハードディスク、フロッピー（登録商標）ディスク、ＣＤ−ＲＯＭ、ＣＤ−Ｒ、ＣＤ−ＲＷ、光ディスク、磁気媒体、光磁気媒体、取り外し可能なメモリカードまたはディスク、様々なタイプのＤＶＤ、テープ、または、カセット等を含んでよい。命令は、例えば、ソースコード、コンパイルコード、翻訳済みコード、実行可能コード、スタティックコード、ダイナミックコード、暗号化コード等のいかなる適切なタイプのコードを含んでよく、いかなる適切なハイレベル、ローレベル、オブジェクト指向、ビジュアル、コンパイル済み、および／または、翻訳済みプログラミング言語を用いて実装されてよい。
【００５５】
ここで記載するグラフィックおよび／またはビデオ処理技術は、様々なハードウェアアーキテクチャで実装されてよい。例えば、グラフィックおよび／またはビデオ機能がチップセット内に集積されてよい。または、別のグラフィックおよび／またはビデオプロセッサを利用することができる。また別の実施形態では、グラフィックおよび／またはビデオ機能は、マルチコアプロセッサを含む汎用プロセッサにより実装されてもよい。さらなる実施形態では、機能が家庭用電化製品に実装されてもよい。
【００５６】
特にそうではないと明記しない限り、「処理」、「コンピューティング」、「計算」、「判断」等の用語は、コンピューティングシステムのレジスタおよび／またはメモリ内の物理量（例えば電子）で表されるデータを、コンピューティングシステムのメモリ、レジスタ、または他の類似した情報記憶装置、送信または表示デバイス内の物理量で同様に表される他のデータに操作および／または変換する、コンピュータまたはコンピューティングシステム、または類似した電子コンピューティングデバイスの動作および／または処理を示している。実施形態はこれに限定されない。
【００５７】
これまで多くの特定の詳細を述べて、実施形態の完全な理解を提供してきた。しかしながら、当業者であれば、実施形態がこれら特定の詳細なしに実施可能であることが理解されよう。他の場合には、公知の動作、コンポーネントおよび回路を詳細に示さずに、実施形態を曖昧にしないように留意している。ここで記載した特定の構造的および機能的な詳細は、あくまで代表的なものを示したに過ぎず、必ずしも実施形態の範囲を限定しない。
【００５８】
主題は、構造的特性および／または方法論的動作に特有の用語で記載されてきたが、添付請求項で定義される主題が上述の特定の特性または動作に必ずしも限定されないことに留意されたい。上述した特定の特性および動作は、請求項を実装する形態の例示として開示されている。
【図１】
2010152885.tif 000004
【図３】
2010152885.tif 000005
【図４】
2010152885.tif 000006
【図５】
2010152885.tif 000007
【図６】
2010152885.tif 000008
【図２】
2010152885.tif 000009
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
第１のデバイスが視聴中であるコンテンツを示す第１のパラメータと、第２のデバイスがユーザへの表示用に利用可能にするコンテンツを示す第２のパラメータとを有する動作を生成する段階と、
前記第２のデバイスに前記動作を利用可能にして、前記第２のデバイスが、前記動作を利用して前記表示されるコンテンツをユーザに利用可能にさせる段階と
を備える方法。
【請求項２】
前記動作は、ＨＴＭＬ表示動作である
請求項１に記載の方法。
【請求項３】
前記ＨＴＭＬ表示動作を利用することで、ウェブページのＨＴＭＬ、ウェブページのＨＴＭＬのサブセクション、およびウェブページに埋め込まれたアプリケーションを含むＨＴＭＬのうち少なくとも１つを、前記第２のデバイスにおいて前記ユーザに利用可能にする
請求項２に記載の方法。
【請求項４】
前記動作において前記第２のパラメータがブランクである場合、前記第１のパラメータが、前記第２のデバイスがユーザへの表示用に利用可能にするコンテンツを示す
請求項１に記載の方法。
【請求項５】
前記第１のデバイスは、パソコン（ＰＣ）であり、
前記第２のデバイスは、接続されたデジタルテレビである
請求項１に記載の方法。
【請求項６】
第１のデバイスが視聴したコンテンツを示す第１のパラメータと、接続デバイスが表示するべき押下されたコンテンツを示す第２のパラメータとを有する動作を、前記接続デバイスで受信する段階と、
前記動作を利用することで、表示デバイス上でユーザインタフェースを介して、主要なコンテンツ上に前記押下されたコンテンツの前記表示を重畳する段階と
を備える方法。
【請求項７】
前記動作は、ＨＴＭＬ表示動作である
請求項６に記載の方法。
【請求項８】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項７に記載の方法。
【請求項９】
前記動作において前記第２のパラメータがブランクである場合、前記押下されたコンテンツを、前記第１のパラメータが示す前記コンテンツとする
請求項６に記載の方法。
【請求項１０】
前記第１のデバイスは、パソコン（ＰＣ）であり、
前記接続デバイスは、接続されたデジタルテレビである
請求項６に記載の方法。
【請求項１１】
多数のコンテンツソースに接続された接続デバイスを備えるシステムであって、
前記接続デバイスは、別のデバイスが視聴したコンテンツを示す第１のパラメータと、前記接続デバイスが表示するべき押下されたコンテンツを示す第２のパラメータとを有する動作を受信し、
前記接続デバイスは、前記動作を利用することで、表示デバイス上でユーザインタフェースを介して、主要なコンテンツ上に前記押下されたコンテンツの前記表示を重畳する
システム。
【請求項１２】
前記動作は、ＨＴＭＬ表示動作である
請求項１１に記載のシステム。
【請求項１３】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項１２に記載のシステム。
【請求項１４】
前記動作において前記第２のパラメータがブランクである場合、前記押下されたコンテンツを、前記第１のパラメータが示す前記コンテンツとする
請求項１１に記載のシステム。
【請求項１５】
前記別のデバイスは、パソコン（ＰＣ）であり、
前記接続デバイスは、接続されたデジタルテレビである
請求項１１に記載のシステム。
【請求項１６】
第１のデバイスが視聴したコンテンツを示す第１のパラメータと、接続デバイスが表示するべき押下されたコンテンツを示す第２のパラメータとを有する動作を、前記接続デバイスで受信する段階と、
前記動作を利用することで、表示デバイス上でユーザインタフェースを介して、主要なコンテンツ上に前記押下されたコンテンツの前記表示を重畳する段階と
をコンピュータに実行させるためのプログラム。
【請求項１７】
前記動作は、ＨＴＭＬ表示動作である
請求項１６に記載のプログラム。
【請求項１８】
前記押下されたコンテンツは、ウェブページのＨＴＭＬ、ウェブページのＨＴＭＬのサブセクション、およびウェブページに埋め込まれたアプリケーションを含むＨＴＭＬのうちの１つである
請求項１７に記載のプログラム。
【請求項１９】
前記動作において前記第２のパラメータがブランクである場合、前記押下されたコンテンツを、前記第１のパラメータが示す前記コンテンツとする
請求項１６に記載のプログラム。
【請求項２０】
前記第１のデバイスは、パソコン（ＰＣ）であり、
前記接続デバイスは、接続されたデジタルテレビである
請求項１６に記載のプログラム。
【外国語明細書】
2010152885.tif 000010
2010152885.tif 000011
2010152885.tif 000012
2010152885.tif 000013
2010152885.tif 000014
2010152885.tif 000015
2010152885.tif 000016
2010152885.tif 000017
2010152885.tif 000018
2010152885.tif 000019
2010152885.tif 000020
2010152885.tif 000021
2010152885.tif 000022
2010152885.tif 000023
2010152885.tif 000024
2010152885.tif 000025
2010152885.tif 000026
2010152885.tif 000027
2010152885.tif 000028
2010152885.tif 000029
2010152885.tif 000030
2010152885.tif 000031
2010152885.tif 000032
2010152885.tif 000033
2010152885.tif 000034
2010152885.tif 000035
2010152885.tif 000036
2010152885.tif 000037